(57)【特許請求の範囲】
【請求項１】
給電経路を切り替える複数の高電圧リレーにそれぞれ対応する複数の連動リレーと、
前記複数の高電圧リレーに供給する駆動電流を、対応する前記複数の連動リレーにそれぞれ供給する駆動手段と、
前記複数の高電圧リレーの動作状態として前記複数の連動リレーの動作状態を検出する状態検出手段と、
前記複数の連動リレーの動作状態を検出した結果に基づいて前記複数の高電圧リレーの動作状態を送信する応答手段と、
を有する分岐装置。
【請求項２】
前記複数の高電圧リレーと、対応する前記複数の連動リレーの、対応するコイル同志がそれぞれ直列に接続される、請求項１に記載の分岐装置。
【請求項３】
前記複数の高電圧リレーと、対応する前記複数の連動リレーの、対応するコイル同志がそれぞれ並列に接続される、請求項１に記載の分岐装置。
【請求項４】
前記状態検出手段は、前記複数の連動リレーの動作状態として、前記複数の連動リレーの可動接点の電位を検出する、請求項１から３のいずれか一項に記載の分岐装置。
【請求項５】
前記駆動手段は、前記複数の高電圧リレー及び対応する前記複数の連動リレーに駆動電流を供給するとき、前記応答手段に、前記複数の高電圧リレーの動作状態を示す応答信号を送信することを指示する、請求項１から４のいずれか一項に記載の分岐装置。
【請求項６】
請求項１から５のいずれか一項に記載の分岐装置と、
前記分岐装置に前記給電経路に関する制御信号を送信し、前記分岐装置から前記複数の高電圧リレーの動作状態を示す応答信号を受信する管理装置と、
を有する海底ケーブルシステム。
【請求項７】
給電経路を切り替える複数の高電圧リレーを備える分岐装置の状態応答方法において、  前記複数の高電圧リレーに供給する駆動電流を、対応する連動リレーにそれぞれ供給し、
前記複数の高電圧リレーの動作状態として前記複数の連動リレーの動作状態を検出し、  前記複数の連動リレーの動作状態を検出した結果に基づいて前記複数の高電圧リレーの動作状態を送信する、
状態応答方法。
【発明の詳細な説明】
【技術分野】
【０００１】
本技術は、海底ケーブルシステム、分岐装置及びその状態応答方法に関し、特に遠隔制御型の海底ケーブルシステム、分岐装置及びその状態応答方法に関する。
【背景技術】
【０００２】
海底ケーブルシステムで用いられる中継器及び分岐装置には、陸上の局舎に備えられている給電装置から電力が供給される。例えば海底ケーブルに含まれる給電線が中継器及び分岐装置の電源に接続されることにより複数の陸上局の給電装置から中継器及び分岐装置に電源を供給する。また分岐装置は、複数の陸上局に接続される複数の給電線をそれぞれ、分岐装置の電源に接続するか又はシーアース（ＳＥ）に接続するか切り替えることが可能な複数の高電圧リレーを備えている。陸上局に備えられる管理装置は、複数の高電圧リレーを制御する制御コマンドを分岐装置に送信することにより、対応する枝に属する中継器の電源及び分岐装置への給電経路を制御する。例えば、管理装置は、中継器で障害が生じた場合、分岐装置に制御コマンドを送り、障害が発生した中継器の枝の給電線に接続される高電圧リレーをＳＥ側に切り替えて、障害が発生した枝の中継器の電源を切断する。
また管理装置は、分岐装置に制御コマンドを送り、他の陸上局からの給電線に接続される高電圧リレーを電源側に切り替えて、他の陸上局から分岐装置に電源が供給されるように給電経路を切り替える。このように障害が発生した枝の中継器をＳＥに接続して電源を切断することで、修理を容易にすることができ、また給電経路を他の局舎に切り替えることで分岐装置への安定的な電力供給が可能となる。【０００３】
関連する技術として、例えば特許文献１には、分岐装置から現在の電源供給状態の情報を取得するための技術が提案されている。特許文献１の分岐装置は、直列接続した各抵抗値の両端を、高電圧リレーと同一動作するリレー接点により短絡／開放し、直列接続した抵抗値の合計をモニタすることで、分岐装置の状態を把握する。
【先行技術文献】
【特許文献】
【０００４】
【特許文献１】国際公開第２０１５／０２５５１８号
【発明の概要】
【発明が解決しようとする課題】
【０００５】
しかしながら特許文献１の分岐装置は、直列接続した複数の抵抗値の合計をモニタする構成であるため、複数の抵抗値を工夫しなければ複数の高電圧リレーの個々の状態までは把握することができない。【０００６】
本発明は、簡単な構成で、分岐装置内部の複数の高電圧リレーの個々の状態を取得することが可能となる海底ケーブルシステム、分岐装置及びその状態応答方法を提供することを主な目的としている。
【課題を解決するための手段】
【０００７】
本発明の１つの側面による分岐装置は、給電経路を切り替える複数の高電圧リレーにそれぞれ対応する複数の連動リレーと、前記複数の高電圧リレーに供給する駆動電流を、対応する前記複数の連動リレーにそれぞれ供給する駆動部と、前記複数の高電圧リレーの動作状態として前記複数の連動リレーの動作状態を検出する状態検出部と、前記複数の高電圧リレーの動作状態として前記複数の連動リレーの動作状態を示す応答信号を送信する応答部と、を備えている。【０００８】
本発明の他の側面による海底ケーブルシステムは、上記分岐装置と、前記分岐装置に前記給電経路に関する制御信号を送信し、前記分岐装置から前記応答信号を受信する管理装置と、を備えている。【０００９】
本発明のさらに他の側面による状態応答方法は、給電経路を切り替える複数の高電圧リレーを備える分岐装置の状態応答方法において、前記複数の高電圧リレーに供給する駆動電流を、対応する連動リレーにそれぞれ供給し、前記複数の高電圧リレーの動作状態として前記複数の連動リレーの動作状態を検出し、前記複数の高電圧リレーの動作状態として前記複数の連動リレーの動作状態を示す応答信号を送信する。
【発明の効果】
【００１０】
本発明の上記側面によれば、簡単な構成で、分岐装置内部の複数の高電圧リレーの個々の状態を取得することが可能となる。
【図面の簡単な説明】
【００１１】
【図１】図１は、第１の実施形態の構成の一例を示すブロック図である。
【図２】図２は、図１の駆動部と高電圧リレー及び連動リレーとの接続構成の一例を示す図である。
【図３】図３は、図１の駆動部と高電圧リレー及び連動リレーとの接続構成の他の例を示す図である。
【図４】図４は、図１の連動リレーの構成の一例を示す図である。
【図５】図５は、図１の連動リレーの構成の他の例を示す図である。
【図６】図６は、図１の海底ケーブル、駆動部及び応答部の構成の一例を示すブロック図である。
【図７】図７は、図１の状態応答の動作を示すフローチャートである。
【発明を実施するための形態】
【００１２】
次に例示的な第１の実施形態について図面を参照して説明する。図１は、第１の実施形態の構成の一例を示すブロック図である。図１に示すように、海底ケーブルシステム１は、複数の陸上局１０ａ、１０ｂ、１０ｃと、通信信号を伝送する海底ケーブル１１ａ、１１ｂ、１１ｃと、通信信号を中継する中継器１２ａ、１２ｂ、１２ｃと、通信信号を分岐する分岐装置１３を備えている。
【００１３】
陸上局１０ａ、１０ｂ、１０ｃにはそれぞれ給電装置１０１ａ、１０１ｂ、１０１ｃが備えられ、海底ケーブル１１ａ、１１ｂ、１１ｃはそれぞれ通信信号とともに陸上局の給電装置１０１ａ、１０１ｂ、１０１ｃから中継器１２ａ、１２ｂ、１２ｃ及び分岐装置１３に供給する電力を伝送する。
【００１４】
分岐装置１３は、図１に示すように、分岐装置１３の給電経路の切り替えを行う複数の高電圧リレー１３１ａ、１３１ｂ、１３１ｃと、複数の高電圧リレー１３１ａ、１３１ｂ、１３１ｃにそれぞれ対応する複数の連動リレー１３２ａ、１３２ｂ、１３２ｃを備えている。高電圧リレー１３１ａ、１３１ｂ、１３１ｃは、給電装置１０１ａ、１０１ｂ、１０１ｃから供給された電源を、分岐装置１３の電源又はＳＥに接続する。高電圧リレー１３１ａ、１３１ｂ、１３１ｃは、保持型（ラッチ）リレーでも、非保持型（ノンラッチ）リレーでもよい。高電圧リレー１３１ａ、１３１ｂ、１３１ｃには高電圧が印加されているので、高電圧リレーそのものの接点接続状態をモニタするのは困難である。
【００１５】
陸上局１０ａ、１０ｂ、１０ｃにはそれぞれ管理装置１０２ａ、１０２ｂ、１０２ｃが備えられ、海底ケーブル１１ａ、１１ｂ、１１ｃはそれぞれ、通信信号とともに管理装置１０２ａ、１０２ｂ、１０２ｃから分岐装置１３の給電経路に関する制御信号を伝送する。分岐装置１３の給電経路に関する制御信号とは、例えば、複数の高電圧リレー１３１ａ、１３１ｂ、１３１ｃの可動接点の切り替え及び高電圧リレー１３１ａ、１３１ｂ、１３１ｃの動作状態の検出を指示する信号である。また応答信号は、例えば、高電圧リレー１３１ａ、１３１ｂ、１３１ｃの動作状態の検出の指示に対し動作状態を応答する応答信号である。
【００１６】
連動リレー１３２ａ、１３２ｂ、１３２ｃは、それぞれ対応する高電圧リレー１３１ａ、１３１ｂ、１３１ｃと共に連動して動作する監視用のリレーである。連動リレー１３２ａ、１３２ｂ、１３２ｃは、高電圧の切り替えが可能なリレーである必要は無いが、対応する高電圧リレーがラッチ型であれば連動リレーもラッチ型となり、対応する高電圧リレーがノンラッチ型であればノンラッチ型のリレーとなる。連動リレー１３２ａ、１３２ｂ、１３２ｃは、高電圧リレー１３１ａ、１３１ｂ、１３１ｃと同性能である必要はなく、小型低電圧用のもので十分である。
【００１７】
また分岐装置１３は、図１に示すように複数の高電圧リレー１３１ａ、１３１ｂ、１３１ｃに供給する駆動電流を、対応する複数の連動リレー１３２ａ、１３２ｂ、１３２ｃにそれぞれ供給する駆動部１３３を備えている。また分岐装置１３は、複数の高電圧リレー１３１ａ、１３１ｂ、１３１ｃの動作状態として複数の連動リレー１３２ａ、１３２ｂ、１３２ｃの動作状態を検出する状態検出部１３４を備えている。また分岐装置１３は、複数の連動リレー１３２ａ、１３２ｂ、１３２ｃの動作状態を検出した結果に基づいて複数の高電圧リレー１３１ａ、１３１ｂ、１３１ｃの動作状態を示す応答信号を管理装置１０２ａ、１０２ｂ、１０２ｃに送信する応答部１３５を備えている。
【００１８】
図２は、図１の駆動部と、高電圧リレー及び連動リレーとの接続構成の一例を示す図である。図２は、高電圧リレー１３１ａ及び高電圧リレー１３１ｂがラッチ型のリレーであり、高電圧リレー１３１ｃがノンラッチ型のリレーである例を示している。
【００１９】
図２に示すように駆動部１３３は、高電圧リレー１３１ａ及び連動リレー１３２ａに駆動電流を供給する駆動回路１３３１ａと、高電圧リレー１３１ｂ及び連動リレー１３２ｂに駆動電流を供給する駆動回路１３３１ｂと、高電圧リレー１３１ｃ及び連動リレー１３２ｃに駆動電流を供給する駆動回路１３３１ｃを備えている。
【００２０】
図２に示すように、高電圧リレー１３１ａ、１３１ｂ、１３１ｃと対応する連動リレー１３２ａ、１３２ｂ、１３２ｃのＬコイル同志、Ｒコイル同志及びリレーコイル同志が直列に接続される。例えばラッチ型の高電圧リレー１３１ａ、１３１ｂのラッチ側のＬコイル１３１１ａ、１３１１ｂと、対応する連動リレー１３２ａ、１３２ｂのラッチ側のＬコイル１３２１ａ、１３２１ｂは、直列に接続されて駆動回路１３３１ａ、１３３１ｂのＬコイルの駆動用の出力端子に接続される。また高電圧リレー１３１ａ、１３１ｂのリセット側のＲコイル１３１２ａ、１３１２ｂと、対応する連動リレー１３２ａ、１３２ｂのリセット側のＲコイル１３２２ａ、１３２２ｂは、直列に接続されて駆動回路１３３１ａ、１３３１ｂのＲコイルの駆動用の出力端子に接続される。
【００２１】
またノンラッチ型の高電圧リレー１３１ｃのリレーコイル１３１１ｃと、対応する連動リレー１３２ｃのリレーコイル１３２１ｃは、直列に接続されて駆動回路１３３１ｃのリレーコイルの駆動用の出力端子に接続される。
【００２２】
このような構成により、高電圧リレーが動作すると、対応する連動リレーも必ず動作し、常に高電圧リレーと対応する連動リレーが同じ接点状態となる。なお図２のように高電圧リレーと対応する連動リレーのＬコイル同志、Ｒコイル同志及びリレーコイル同志を直列に接続するものに限らず、高電圧リレーと対応する連動リレーが必ず同じ接点状態となるよう駆動回路に接続される構成となっていればよい。例えば図３に示すように、高電圧リレー１３１ａ、１３１ｂ、１３１ｃと、対応する連動リレー１３２ａ、１３２ｂ、１３２ｃの、Ｌコイル同志、Ｒコイル同志、リレーコイル同志が並列に接続されてもよい。
【００２３】
次に連動リレー１３２ａ、１３２ｂ、１３２ｃの構成について説明する。図４は、図１の連動リレーの構成の一例を示す図である。図４には、ラッチ型の連動リレー１３２ａの例を示しているが、連動リレー１３２ｂがラッチ型であるとすると、連動リレー１３２ｂも同様な構成となる。
【００２４】
図４に示すようにラッチ型の連動リレー１３２ａは、ラッチ側のＬコイル１３２１ａと、リセット側のＲコイル１３２２ａと、可動接点１３２３ａと、ラッチ側の接点Ｌ１３２４ａと、リセット側の接点Ｒ１３２５ａを備えている。図４に示すようにラッチ側のＬコイル１３２１ａと、リセット側のＲコイル１３２２ａは可動接点１３２３ａを挟んで対向して設置される。ラッチ側の接点Ｌ１３２４ａとリセット側の接点Ｒ１３２５ａは可動接点１３２３ａを挟んで対向して設置される。ラッチ側の接点Ｌ１３２４ａは、Ｌコイル１３２１ａに駆動電流が流れたとき可動接点１３２３ａが移動して接する位置に設置される。リセット側の接点Ｒ１３２５ａは、Ｒコイル１３２２ａに駆動電流が流れたとき可動接点１３２３ａが移動して接する位置に設置されている。
【００２５】
また連動リレー１３２ａの接点Ｌ１３２４ａは、抵抗器１３２６ａを介して例えば状態検出部１３４の電源電圧に接続され、接点Ｒ１３２５ａは、ＳＥに接続されている。
【００２６】
駆動回路１３３１ａは、高電圧リレー１３１ａの可動接点をラッチ側に制御する制御信号を受信すると、Ｌコイル駆動用の出力端子から駆動電流を流す。この駆動電流により高電圧リレー１３１ａと共に連動リレー１３２ａの可動接点１３２３ａがＬコイル１３２１ａ側に移動して、接点Ｌ１３２４ａに接する。駆動回路１３３１ａは、高電圧リレー１３１ａの可動接点をリセット側に制御する制御信号を受信すると、Ｒコイル駆動用の出力端子から駆動電流を流す。この駆動電流により、高電圧リレー１３１ａと共に連動リレー１３２ａの可動接点１３２３ａがＲコイル１３２２ａ側に移動して、接点Ｒ１３２５ａに接する。
【００２７】
駆動部１３３の駆動回路１３３１ａは管理装置１０２ａ、１０２ｂ、１０２ｃからの給電経路に関する制御信号に基づいて、給電装置１０１ａからの給電又は非給電に応じて、ラッチ型の高電圧リレー１３１ａと共に連動リレー１３２ａの可動接点１３２３ａをラッチ側又はリセット側に切り替える。同様に、駆動回路１３３１ｂは、管理装置１０２ａ、１０２ｂ、１０２ｃからの給電経路に関する制御信号に基づいて、給電装置１０１ｂからの給電又は非給電に応じて、ラッチ型の高電圧リレー１３１ｂと共に連動リレー１３２ｂの可動接点をラッチ側又はリセット側に切り替える。
【００２８】
図５は、図１の連動リレーの構成の他の例を示す図である。たとえば、連動リレー１３２ｃは、ノンラッチ型のリレーであり、図５はノンラッチ型の連動リレー１３２ｃの構成を示す。ノンラッチ型の連動リレー１３２ｃは、図５に示すようにリレーコイル１３２１ｃと、バネ１３２２ｃと、可動接点１３２３ｃと、オン側の接点１３２４ｃと、オフ側の接点１３２５ｃを備えている。オン側の接点１３２４ｃとオフ側の接点１３２５ｃは可動接点１３２３ｃを挟んで対向して設置される。バネ１３２２ｃは、リレーコイル１３２１ｃに駆動電流が流れていないとき可動接点１３２３ｃがオン側の接点１３２４ｃから離れ、オフ側の接点１３２５ｃに接するよう、可動接点１３２３ｃに弾性力を付加する。可動接点１３２３ｃにはリレーコイル１３２１ｃに駆動電流が流れたときリレーコイル１３２１ｃに反発する磁石（図示せず）が取り付けられ、オン側の接点１３２４ｃは、リレーコイル１３２１ｃに駆動電流が流れたとき可動接点１３２３ｃが移動して接する位置に設置される。
【００２９】
また連動リレー１３２ｃのオン側の接点１３２４ｃは、抵抗器１３２６ｃを介して例えば状態検出部１３４の電源電圧に接続され、オフ側の接点１３２５ｃは、ＳＥに接続されている。
【００３０】
駆動回路１３３１ｃは、管理装置１０２ａ、１０２ｂ、１０２ｃから高電圧リレー１３１ｃの可動接点をオン側に制御する制御信号を受信すると、リレーコイル駆動用の出力端子から駆動電流を流す。この電流により高電圧リレー１３１ｃと共に連動リレー１３２ｃの可動接点１３２３ｃがリレーコイル１３２１ｃ側に移動して、オン側の接点１３２４ｃに接する。駆動回路１３３１ｃは、高電圧リレー１３１ｃの可動接点をオフ側に制御する制御信号を受信すると、リレーコイル駆動用の出力端子からの駆動電流を切断する。このことにより、例えば連動リレー１３２ｃに備えられているバネ１３２２ｃの弾性力により可動接点１３２３ｃがオフ側の接点１３２５ｃに接する。このようにして駆動部１３３の駆動回路１３３１ｃは管理装置１０２ａ、１０２ｂ、１０２ｃからの給電経路に関する制御信号に基づいて、給電装置１０１ｃからの給電又は非給電に対応して、ノンラッチ型の高電圧リレー１３１ｃと共に連動リレー１３２ｃの可動接点をオン側又はオフ側に切り替える。
【００３１】
図６は、図１の海底ケーブル、駆動部及び応答部の構成の一例を示すブロック図である。図６は、簡単のため、本実施形態の海底ケーブル１１ａに関連する制御信号線１１１ａ、応答信号線１１１ｂ、給電線１１３ａ、及び高電圧リレー１３１ａに関連する部分の構成のみについて示しているが、海底ケーブル１１ｂ、１１ｃに関連する同様な構成も備えている。また駆動部は、高電圧リレー１３１ａ及び連動リレー１３２ａのみではなく、高電圧リレー１３１ｂ、１３１ｃ及び連動リレー１３２ｂ、１３２ｃにも接続されている。また状態検出部１３４は、連動リレー１３２ａのみではなく、連動リレー１３２ｂ、１３２ｃにも接続されている。
【００３２】
図６に示すように、海底ケーブル１１ａにより給電装置１０１ａから伝送された電力を分岐装置１３内部で伝送する給電線１１３ａは、高電圧リレー１３１ａに接続されている。
【００３３】
図６に示すように、海底ケーブル１１ａにより伝送された制御信号を分岐装置１３内部で伝送する制御信号線１１１ａには、光分岐カプラ１１４ａが備えられている。光分岐カプラ１１４ａは、陸上局１０ａの管理装置１０２ａからの制御信号を駆動部１３３に分岐させる。なお海底ケーブル１１ｂ、１１ｃにより伝送された制御信号を分岐装置１３内部で伝送する制御信号線にも、同様に、光分岐カプラが備えられている。これらの光分岐カプラは、光分岐カプラ１１４ａと同様に、管理装置１０２ｂ、１０２ｃからの制御信号を分岐装置１３内の駆動部１３３に分岐させる。
【００３４】
駆動部１３３は、光分岐カプラ１１４ａから出力される光信号を電気信号へ変換するＯ／Ｅコンバータ１３３２ａを備えている。Ｏ／Ｅコンバータ１３３２ａは、例えばＰＤ（Ｐｈｏｔｏ  Ｄｉｏｄｅ）を備え、管理装置１０２ａからの制御信号である光信号を電気信号に変換し、変換した電気信号を駆動部１３３内の駆動制御部１３３３に出力する。なお駆動部は、光分岐カプラにより分岐された管理装置１０２ｂ、１０２ｃからの制御信号を光信号から電気信号へ変換するＯ／Ｅコンバータも備えている。分岐された管理装置１０２ｂ、１０２ｃからの制御信号は、それぞれ駆動部１３３のＯ／Ｅコンバータによって光信号から電気信号に変換され、駆動部１３３内の駆動制御部１３３３に出力される。
【００３５】
駆動制御部１３３３は、光分岐カプラから高電圧リレーの制御信号を受信すると、制御信号が高電圧リレーの接点の切り替えを指示する制御信号か、判断する。
【００３６】
高電圧リレーの接点の切り替えを指示する制御信号であれば、駆動制御部１３３３は、高電圧リレー及び対応する連動リレーに駆動電流を供給するとき、応答部１３５に、高電圧リレーの動作状態を示す応答信号を送信することを指示する。すなわち、駆動制御部１３３３は、切り替えの対象となっている高電圧リレー１３１ａに対応する駆動回路１３３１ａに、高電圧リレー１３１ａの接点を切り替える制御信号を出力する。そして駆動制御部１３３３は、応答部１３５の応答制御部１３５２に、高電圧リレー１３１ａの接点を切り替える制御信号を送信した管理装置１０２ａへ高電圧リレー１３１ａの動作状態の応答を指示する制御信号を出力する。
【００３７】
接点切り替えを指示する制御信号ではなく、動作状態の応答を指示する制御信号であれば、駆動制御部１３３３は、駆動回路に制御信号を出力することなく、動作状態の応答を指示する制御信号を送信した管理装置へ動作状態の応答を指示する制御信号を応答部１３５の応答制御部１３５２に出力する。
【００３８】
駆動回路１３３１ａは、接点切り替えを指示する制御信号に基づいて、高電圧リレー１３１ａの駆動対象となるコイル用の出力端子から、駆動対象となるコイルを制御する制御信号を出力する。また応答制御部１３５２は、動作状態の応答を指示する制御信号に基づいて、対象となる高電圧リレーに対応する連動リレーについて状態検出部１３４が検出した動作状態を読み取る。
【００３９】
状態検出部１３４は、図６に示すように、連動リレー１３２ａの可動接点１３２３ａに接続され可動接点１３２３ａの電位に基づいて連動リレー１３２ａの動作状態を判定する判定部１３４１と、連動リレー１３２ａ、１３２ｂ、１３２ｃの動作状態を記憶する状態記憶部１３４２を備えている。なお図６には示していないが、判定部１３４１は、連動リレー１３２ｂ、１３２ｃの可動接点にも接続され、連動リレー１３２ｂ、１３２ｃの可動接点の電位に基づいて連動リレー１３２ｂ、１３２ｃの動作状態を判定し、判定した結果を、状態記憶部１３４２に記憶する。
【００４０】
状態検出部１３４の判定部１３４１は、具体的には、連動リレー１３２ａ、１３２ｂ、１３２ｃの可動接点１３２３ａの電位を図示しない基準電圧と比較し、各可動接点の電位が、Ｈｉｇｈか、Ｌｏｗか、を判定する。判定部１３４１は、判定した結果を状態記憶部１３４２に記憶する。
【００４１】
応答制御部１３５２は、連動リレー１３２ａ、１３２ｂ、１３２ｃの各可動接点の電位が、Ｈｉｇｈか、Ｌｏｗか、を示す情報を、状態記憶部１３４２から読み取る。応答制御部１３５２は、読み取った連動リレー１３２ａ、１３２ｂ、１３２ｃの状態をデジタル信号に変換して、高電圧リレー１３１ａ、１３１ｂ、１３１ｃの状態を示す応答信号を生成する。
【００４２】
応答部１３５は、図６に示すようにＥ／Ｏコンバータ１３５１ａと、応答制御部１３５２を備えている。Ｅ／Ｏコンバータ１３５１ａは、応答制御部１３５２から出力された応答信号を、専用波長を用いて電気信号から光信号へ変換する。Ｅ／Ｏコンバータ１３５１ａは、例えば、専用波長を用いて応答信号を送信する光変調器でよいが、これに限らず、分岐装置内の光アンプの励起光源を応答信号に基づいて低速で浅く振幅変調する光変調器であってもよい。応答制御部１３５２は、管理装置１０２ａへ高電圧リレー１３１ａの状態の応答する場合、対応するＥ／Ｏコンバータ１３５１ａに応答信号を出力する。
【００４３】
また図６に示すように、海底ケーブル１１ａにより管理装置１０２ａに伝送される応答信号を分岐装置１３内部で伝送する応答信号線１１２ａには、光分岐カプラ１１５ａが備えられている。Ｅ／Ｏコンバータ１３５１ａは、光信号に変換された応答信号を光分岐カプラ１１５ａに出力する。光分岐カプラ１１５ａにより、応答信号の光信号が、応答信号線１１２ａにより伝送される通信信号へ合波され、管理装置１０２ａに送信される。
【００４４】
なお図６には示していないが、管理装置１０２ｂ、１０２ｃに伝送される応答信号を分岐装置１３内部で伝送する応答信号線にも、光分岐カプラが備えられている。また応答部１３５は、管理装置１０２ｂ、１０２ｃに伝送される応答信号を電気信号から光信号に変換するＥ／Ｏコンバータも備えている。応答制御部１３５２は、管理装置１０２ｂ、１０２ｃへ応答信号を送信する場合、対応するＥ／Ｏコンバータに応答信号を出力する。送信先の管理装置１０２ｂ、１０２ｃに対応するＥ／Ｏコンバータは、専用波長を用いて応答信号を変換し光信号を、送信先の管理装置１０２ｂ、１０２ｃに対応する応答信号線の光分岐カプラに出力する。出力された応答信号の光信号は、光分岐カプラにより管理装置１０２ｂ、１０２ｃ用の応答信号線の通信信号に合波され、送信先の管理装置１０２ｂ、１０２ｃに送信される。
【００４５】
次に本実施形態の動作について説明する。図７は、図１の状態応答の動作を示すフローチャートである。
【００４６】
まず駆動部１３３の駆動制御部１３３３が、管理装置１０２ａ、１０２ｂ、１０２ｃから給電経路に関する制御信号を受信する（ステップＳ１）と、制御信号が高電圧リレー１３１ａ、１３１ｂ、１３１ｃの接点の切り替えを指示する制御信号か判断する（ステップＳ２）。給電経路に関する制御信号であれば、駆動制御部１３３３は、給電経路に関する制御信号に基づいて、対応する駆動回路１３３１ａ、１３３１ｂ、１３３１ｃに高電圧リレー１３１ａ、１３１ｂ、１３１ｃの接点を切り替える制御信号を出力する（ステップＳ３）。
【００４７】
駆動部１３３の駆動回路１３３１ａ、１３３１ｂ、１３３１ｃは、駆動制御部１３３３から出力された制御信号に基づいて、複数の高電圧リレー１３１ａ、１３１ｂ、１３１ｃに供給する駆動電流を、対応する連動リレー１３２ａ、１３２ｂ、１３２ｃに供給する（ステップＳ４）。
【００４８】
また駆動制御部１３３３は、応答部１３５の応答制御部１３５２に、給電経路に関する制御信号を送信した管理装置１０２ａ、１０２ｂ、１０２ｃへ高電圧リレー１３１ａ、１３１ｂ、１３１ｃの動作状態の応答を指示する（ステップＳ５）。
【００４９】
ステップＳ２において、切り替えを指示する制御信号でない場合、駆動制御部１３３３は、高電圧リレー１３１ａ、１３１ｂ、１３１ｃの動作状態の応答を指示する制御信号か判断する（ステップＳ６）。駆動制御部１３３３は、動作状態の応答を指示する制御信号であった場合、ステップＳ５のように、応答制御部１３５２に、制御信号を送信した管理装置１０２ａ、１０２ｂ、１０２ｃへの動作状態の応答を指示する。
【００５０】
状態検出部１３４は、高電圧リレー１３１ａ、１３１ｂ、１３１ｃの動作状態として連動リレー１３２ａ、１３２ｂ、１３２ｃの動作状態を検出する。具体的には、状態検出部１３４の判定部１３４１は、連動リレー１３２ａ、１３２ｂ、１３２ｃの可動接点の電位を、図示しない基準電圧と比較し、Ｈｉｇｈか、Ｌｏｗか、を判定する。判定部１３４１は、判定した結果を、連動リレー１３２ａ、１３２ｂ、１３２ｃにそれぞれ対応する状態記憶部に記憶する（ステップＳ７）。
【００５１】
応答部１３５の応答制御部１３５２は、駆動制御部１３３３からの信号により、状態検出部１３４が検出した連動リレー１３２ａ、１３２ｂ、１３２ｃの各可動接点の電位が、Ｈｉｇｈか、Ｌｏｗか、を示す情報を、連動リレー１３２ａ、１３２ｂ、１３２ｃにそれぞれ対応する状態記憶部から読み取る。応答部１３５は、高電圧リレーの制御信号を送信した管理装置へ高電圧リレーの動作状態を示す応答信号を送信する。具体的には、応答部１３５の応答制御部１３５２は、連動リレー１３２ａ、１３２ｂ、１３２ｃにそれぞれ対応する状態記憶部から読み取った連動リレー１３２ａ、１３２ｂ、１３２ｃの動作状態をデジタル信号に変換する。応答制御部１３５２は、変換されたデジタル信号に基づいて連動リレー１３２ａ、１３２ｂ、１３２ｃの状態を示す応答信号を生成する。そして応答制御部１３５２は、高電圧リレー１３１ａ、１３１ｂ、１３１ｃの制御信号を送信した管理装置に、連動リレー１３２ａ、１３２ｂ、１３２ｃの動作状態を示す応答信号を送信する（ステップＳ８）。
【００５２】
以上説明したように、本実施形態によれば、遠隔制御型の分岐装置に、分岐装置中の高電圧リレーの動作状態の応答機能を持たせることで、より簡易的かつ明確な動作状態の判別が可能となる。また分岐装置の動作状態の検出には、高電圧リレーと同期して動く監視用の連動リレーの接点状態を調べるというアプローチをとるため、正確な動作状態の把握が可能となる。特にノンラッチ型の高電圧リレーは、接点の切り替えの制御指示のみでなく、給電変動や給電のＯＮ／ＯＦＦによって自動的に接点状態が切り替わる為、分岐装置の動作状態の把握をより困難としている。本実施形態では高電圧リレーの動作と同期して動く監視用の連動リレーを用いることにより、ノンラッチ型の高電圧リレーの状態についても確実な判別が可能となっている。
【００５３】
以上、実施形態を参照して本発明を説明したが、本発明は上記実施形態に限定されるものではない。本発明の構成や詳細には、本発明のスコープ内で当業者が理解し得る様々な変更をすることができる。
【００５４】
この出願は、２０１８年２月２０日に出願された日本出願特願２０１８−０２７５１４を基礎とする優先権を主張し、その開示の全てをここに取り込む。
【符号の説明】
【００５５】
１    海底ケーブルシステム
１０ａ、１０ｂ、１０ｃ    陸上局
１１ａ、１１ｂ、１１ｃ    海底ケーブル
１２ａ、１２ｂ、１２ｃ    中継器
１３    分岐装置
１０１ａ、１０１ｂ、１０１ｃ    給電装置
１０２ａ、１０２ｂ、１０２ｃ    管理装置
１１１ａ    制御信号線
１１２ａ    応答信号線
１１３ａ    給電線
１１４ａ、１１５ａ    光分岐カプラ
１３１ａ、１３１ｂ、１３１ｃ    高電圧リレー
１３２ａ、１３２ｂ、１３２ｃ    連動リレー
１３３    駆動部
１３４    状態検出部
１３５    応答部
１３１１ａ、１３２１ａ    Ｌコイル
１３１１ｃ、１３２１ｃ    リレーコイル
１３１２ａ、１３２２ａ    Ｒコイル
１３２２ｃ    バネ
１３２３ａ、１３２３ｃ    可動接点
１３２４ａ    接点Ｌ
１３２４ｃ、１３２５ｃ    接点
１３２５ａ    接点Ｒ
１３２６ａ、１３２６ｃ    抵抗器
１３３１ａ、１３３１ｂ、１３３１ｃ    駆動回路
１３３２ａ    Ｏ／Ｅコンバータ
１３３３    駆動制御部
１３４１    判定部
１３４２    状態記憶部
１３５１ａ    Ｅ／Ｏコンバータ
１３５２    応答制御部
【図１】
0006962441.tif 000002
【図２】
0006962441.tif 000003
【図３】
0006962441.tif 000004
【図４】
0006962441.tif 000005
【図５】
0006962441.tif 000006
【図６】
0006962441.tif 000007
【図７】
0006962441.tif 000008